(57)【要約】      （修正有）【課題】本発明は、共振体を構成する上部電極層の断線を効果的に防止することにより、生産性の優れた音響波共振子およびそれを用いたフィルタならびに通信装置を提供する。【解決手段】基体１と、前記基体１上に配置され、音響波を発する圧電体層７を厚み方向の両側より電極層で挟んだ共振体２と、前記圧電体層７の上方に位置する電極層８が一部露出されるようにして前記共振体２上に設けられる絶縁層４と、前記絶縁層４よりも高い固有音響インピーダンスの導体材料から成り、前記露出部４ａにて前記電極層８と電気的に接続されるとともに前記絶縁層４上から前記共振体２の側方を介して前記基体２側へ導出される導体層５と、を備えた音響波共振子。【選択図】図１
2008011483.tif 000002
【特許請求の範囲】
【請求項１】
基体と、
前記基体上に配置され、音響波を発する圧電体層を厚み方向の両側より電極層で挟んだ共振体と、
前記圧電体層の上方に位置する電極層が一部露出されるようにして前記共振体上に設けられる絶縁層と、
前記絶縁層よりも高い固有音響インピーダンスの導体材料から成り、前記露出部にて前記電極層と電気的に接続されるとともに前記絶縁層上から前記共振体の側方を介して前記基体側へ導出される導体層と、を備えた音響波共振子。
【請求項２】
前記絶縁層が前記共振体の側面を被覆していることを特徴とする請求項１に記載の音響波共振子。
【請求項３】
前記共振体が、前記絶縁層及び前記導体層上に形成された保護膜により被覆されていることを特徴とする請求項１または請求項２に記載の音響波共振子。
【請求項４】
前記導体層中を伝搬する音響波の波長をλ１、前記保護膜中を伝搬する音響波の波長をλ２としたとき、前記導体層の厚みｄ１および前記保護膜の厚みｄ２が、
０．２＋０．５×ｎ≦ｄ１／λ１＋ｄ２／λ２≦０．３＋０．５×ｎ  （ｎは自然数）
であることを特徴とする請求項３に記載の音響波共振子。
【請求項５】
前記導体層の厚みｄ１が、λ１／２の略自然数倍であることを特徴とする請求項４に記載の音響波共振子。
【請求項６】
入力端子と出力端子とグランド端子とを有し、前記入力端子と前記出力端子とをつなぐ入出力ライン上、および前記入出力ラインとグランド端子との間に請求項１乃至請求項５のいずれかに記載の音響波共振子をそれぞれ設けてなるフィルタ。
【請求項７】
前記入出力ライン上の音響波共振子と、前記入出力ライン及び前記グランド端子間の音響波共振子とが、前記基体側へ導出された一方の音響波共振子の導体層を介して電気的に接続されていることを特徴とする請求項６に記載のフィルタ。
【請求項８】
前記保護膜が複数の音響波共振子を共通に被覆していることを特徴とする請求項６または請求項７に記載のフィルタ。
【請求項９】
請求項６乃至請求項８のいずれかに記載のフィルタと、電気信号を送信する送信回路と、電気信号を受信する受信回路とを有し、前記送信回路と前記受信回路との間に前記フィルタを配置して電気信号をフィルタリング処理する通信装置。
【請求項１０】
前記導体層の厚みは、前記圧電体層の上方に位置する電極層の厚みより大きいことを特徴とする請求項１乃至請求項５に記載の音響波共振子。
【請求項１１】
前記共振体の側面に位置する前記絶縁層の前記基体に対する傾斜角は、前記共振体の側面に位置する前記導体層の傾斜角よりも大きく設定されていることを特徴とする請求項２に記載の音響波共振子。
【請求項１２】
前記共振体の側面に位置する前記絶縁層の前記基体に対する傾斜角は、１０°〜８０°であることを特徴とする請求項２又は請求項１１に記載の音響波共振子。
【請求項１３】
前記共振体の側面に位置する前記導体層の前記基体に対する傾斜角は、１０°〜８０°であることを特徴とする請求項１１に記載の音響波共振子。
【発明の詳細な説明】
【技術分野】
【０００１】
本発明は、音響波共振子およびそれを用いたフィルタならびに通信装置に関する。
【背景技術】
【０００２】
近時の通信速度の高速化等に伴い、無線通信や電気回路に用いられる音響波共振子、フィルタには、例えば２ＧＨｚ以上の高周波数信号に対応したものが求められている。
【０００３】
従来の音響波共振子としては、図６に示すように、基体に下部電極層、圧電体層、上部電極層を順次積層した共振体を形成した構造のものが知られており、上部電極層は、圧電体層の側方を介して基体側に導出されている（特許文献１参照）。ここで、電極層に挟持された圧電体層は、電極層から電圧が印加されることで音響波を発して振動する。
【０００４】
なお、共振体における電極層の厚みは、圧電体層の振動に大きな影響を及ぼさないように、圧電体層の厚みに対して十分に薄くする必要がある。
【特許文献１】特開２００２−３５３７６１号公報
【発明の開示】
【発明が解決しようとする課題】
【０００５】
しかしながら、上述した従来の音響波共振子の如く電極層の厚みを薄く形成し、上部電極層を圧電体層の側方を介して基体側に導出した場合、圧電体層の側面や角部等の上部電極層が折れ曲がるような箇所（図６のＡ）において上部電極層が断線する虞がある。その結果、音響波共振子の生産性が低下するという問題があった。
【０００６】
本発明は、上述した課題に鑑みなされたものであって、共振体を構成する上部電極層の断線を効果的に防止することにより、生産性に優れた音響波共振子およびそれを用いたフィルタならびに通信装置を提供することを目的とする。
【課題を解決するための手段】
【０００７】
上記課題を解決するため、本発明の音響波共振子においては、基体と、前記基体上に配置され、音響波を発する圧電体層を厚み方向の両側より電極層で挟んだ共振体と、前記圧電体層の上方に位置する電極層が一部露出されるようにして前記共振体上に設けられる絶縁層と、前記絶縁層よりも高い固有音響インピーダンスの導体材料から成り、前記露出部にて前記電極層と電気的に接続されるとともに前記絶縁層上から前記共振体の側方を介して前記基体側へ導出される導体層と、を備えている。
【０００８】
また、本発明の音響波共振子においては、前記絶縁層が前記共振体の側面を被覆していることを特徴とする。
【０００９】
また、本発明の音響波共振子においては、前記共振体が、前記絶縁層及び前記導体層上に形成された保護膜により被覆されていることを特徴とする。
【００１０】
また、本発明の音響波共振子においては、前記導体層中を伝搬する音響波の波長をλ１、前記保護膜中を伝搬する音響波の波長をλ２としたとき、前記導体層の厚みｄ１および前記保護膜の厚みｄ２が、０．２＋０．５×ｎ≦ｄ１／λ１＋ｄ２／λ２≦０．３＋０．５×ｎ  （ｎは自然数）であることを特徴とする。
【００１１】
また、本発明の音響波共振子においては、前記導体層の厚みｄ１が、λ１／２の略自然数倍であることを特徴とする。
【００１２】
また、本発明のフィルタにおいては、入力端子と出力端子とグランド端子とを有し、前記入力端子と前記出力端子とをつなぐ入出力ライン上、および前記入出力ラインとグランド端子との間に上記構成のいずれかの本発明の音響波共振子をそれぞれ設ける。
【００１３】
また、本発明のフィルタにおいては、前記保護膜が複数の音響波共振子を共通に被覆していることを特徴とする。
【００１４】
また、本発明の通信装置においては、上記構成のフィルタと、電気信号を送信する送信回路と、電気信号を受信する受信回路とを有し、前記送信回路と前記受信回路との間に前記フィルタを配置して電気信号をフィルタリング処理する。
【００１５】
また、本発明の音響波共振子においては、前記導体層の厚みは、前記圧電体層の上方に位置する電極層の厚みより大きいことを特徴とする。
【００１６】
また、本発明の音響波共振子においては、前記共振体の側面に位置する前記絶縁層の前記基体に対する傾斜角は、前記共振体の側面に位置する前記導体層の傾斜角よりも大きく設定されていることを特徴とする。
【００１７】
また、本発明の音響波共振子においては、前記共振体の側面に位置する前記絶縁層の前記基体に対する傾斜角は、１０°〜８０°であることを特徴とする。
【００１８】
また、本発明の音響波共振子においては、前記共振体の側面に位置する前記導体層の前記基体に対する傾斜角は、１０°〜８０°であることを特徴とする。
【発明の効果】
【００１９】
本発明によれば、共振体における上部電極層上に絶縁層を介して導体層を設け、該導体層を上部電極層と電気的に接続し、圧電体層の側方から基体側に導出することで、上部電極層の厚みを薄く維持したまま電極配線の自由度を上げて、圧電体層の側方における上部電極層の断線を有効に防止することができ、音響波共振子の生産性の向上に寄与することができる。しかも、絶縁層と導体層とで反射器の機能を奏し、共振体が発する音響波の漏洩を抑制することができる。
【発明を実施するための最良の形態】
【００２０】
以下に、本発明にかかる音響波共振子およびそれを用いたフィルタならびに通信装置の実施の形態を図面に基づいて詳細に説明する。
【００２１】
＜本発明の音響波共振子＞
本発明の音響波共振子の実施の形態の一例について、図１（ａ）に平面図を、図１（ｂ）に図１（ａ）のＡ‐Ａ’部分の断面図を示す。
【００２２】
図１（ａ）、図１（ｂ）に示すように、本実施の形態に係る音響波共振子は、平板状の基体１と、基体１上に形成され、音響波を発生する共振体２と、基体１と共振体２との間に介在され、音響波を反射する反射器３と、共振体２上に、共振体２を一部露出するように形成された絶縁層４と、絶縁層４上であって、共振体２の一部露出した箇所に接触して配置された導体層５と、を含んで構成されている。
【００２３】
基体１は、音響波共振子を支持する機能を有し、通常は厚みが０．０５〜１ｍｍ、直径が７５〜２００ｍｍの鏡面研磨されたＳｉウエハーが用いられる。基体１は、Ｓｉウエハーの他にも薄膜プロセスと相性の良い、Ｓｉ、Ａｌ２Ｏ３、ＳｉＯ２、ガラス等のウエハーまたは平板を使用することができる。
【００２４】
共振体２は、下部電極層６と、下部電極層６上に形成された圧電体層７と、圧電体層７上に形成された上部電極層８とを備えており、圧電体層７に上下から電圧を上部電極層６および下部電極層８によって印加することで音響波を発する。
【００２５】
下部電極層６及び上部電極層８は、圧電体層７に高周波電圧を印加する機能を有する部材であり、Ｗ、Ｍｏ、Ａｕ、Ａｌ、Ｃｕ等の金属材料で形成される。下部電極層６及び上部電極層８は、例えばスパッタリング法やＣＶＤ法等の薄膜プロセスで所定の厚さで形成され、フォトリソグラフィ技術等により所定の形状に加工される。また、下部電極層６及び上部電極層８は、電極としての機能と同時に、共振体２を構成する機能も有するため、音響波共振子が必要な共振特性を発揮するために、その厚みは、材料の固有音響インピーダンスや密度、材料を伝搬する音響波の速度、音響波の波長等を考慮して、精密に設計する必要がある。最適な電極厚みは、使用周波数、共振子の設計、圧電体層７の材料、電極材料等によって異なるが、共振周波数が２ＧＨｚの場合、０．０１〜０．５μｍである。また、平面形状は、図１に示す例では矩形状になっているが、不要振動（スプリアス）を防ぐため、円形状や不定形状、台形状とされる場合もある。
【００２６】
圧電体層７は、例えばＺｎＯやＡｌＮ、ＰＺＴ等の圧電体材料からなり、上部電極層６及び下部電極層８によって印加された高周波電圧に応じて伸縮し、電気的な信号を機械的な振動に変換する機能を持つ。圧電体層７は、例えばスパッタリング法やＣＶＤ法等の薄膜プロセスで所定の厚さに形成され、フォトリソグラフィ技術等により所定の形状に加工される。音響波共振子が必要な共振特性を発揮するために、圧電体層７の厚みは、下部電極層６及び上部電極層８と同様に精密に設計する必要がある。最適な厚みは、共振周波数が２ＧＨｚの場合、０．３〜１．５μｍである。
【００２７】
共振体２は、通常、全体の厚みが、λ／２（λは使用周波数での音響波の波長）となるように設計される。さらに、その面積は、共振子の電気インピーダンスを決定する要素となるため、厚みと同様に精密に設計する必要がある。５０Ωインピーダンス系で使用する場合は、通常、下部電極層６、圧電体層７、上部電極層８で構成される電気的なキャパシタンスが、使用周波数でおおむね５０Ωのリアクタンスを持つように設計される。共振体２の面積は、例えば２ＧＨｚの振動子の場合であれば、２００×２００μｍとなる。
【００２８】
反射器３は、固有音響インピーダンスの異なる低固有音響インピーダンス層３ａと、高固有音響インピーダンス層３ｂとを備えている。図１では低固有音響インピーダンス層３ａ、高固有音響インピーダンス層３ｂはおのおの１層となっているが、良好な反射率を得るために適宜繰り返しても良い。その場合でも、最も共振体２に近い層は共振体２の振動を妨げないように、低い固有音響インピーダンスを持つ低固有音響インピーダンス層３ａである必要がある。
【００２９】
本発明の音響波共振子では、これらの構造の上部に、絶縁層４と導体層５が設けられている。
【００３０】
絶縁層４は、例えばスピンコートやＣＶＤ法等の薄膜プロセスで上部電極層８上に所定の厚さで形成され、フォトリソグラフィ技術等により上部電極層８上に、当該上部電極層８を一部露出するように露出部４ａが加工される。また、絶縁層４は、共振体２の側面を被覆するように形成し、導体層５が下部電極層６と電気的に接触しないようにする。
【００３１】
音響波共振子が必要な共振特性を発揮するために、絶縁層４の厚みは、材料の固有音響インピーダンスや密度、材料を伝搬する音響波の速度、音響波の波長等を考慮して、精密に設計する必要がある。最適な厚みは、使用周波数、共振子の設計、圧電体層７の材料、上部電極層６および下部電極層８の材料等によって異なるが、共振体２の音響波を効果的に閉じ込めるという観点から、λ／４（λは使用周波数での音響波の波長）の奇数倍が最適である。
【００３２】
また、絶縁層４の材料は、音響波の損失が小さいと共に、固有音響インピーダンスが小さい材料であればどんなものでも用いることができるが、平坦で高品質の膜が容易に得られる、薄膜プロセスで形成できる、フォトリソグラフィ技術等により加工ができるという観点から、ポリイミド、ＭＳＱ（Methylsises Quioxane）、ＢＣＢ（Benzocyclobutene）などの樹脂材料や、多孔質シリカやエアロゲルなどの多孔質もしくは発泡性の無機材料が好適に使用できる。固有音響インピーダンスが小さいという観点から、ＢＣＢもしくは多孔質シリカが最も適している。絶縁層４は、電気的抵抗が大きい方が望ましいが、たとえば製造上の静電気から素子を保護するという目的のため、わずかに導電性を付与した膜を使用することもできる。なお、絶縁層４は、音響波を反射する構造であれば、単層であっても多層であっても構わない。
【００３３】
導体層５は、前記絶縁層４上に形成され、その一端は、絶縁層４の露出部４ａを介して共振体２の上部電極層８と接続されている。また、導体層５は、絶縁層４上から共振体２の側方を介して基体１側へ導出されて、導体層５の他端は同一基体上の他の下部電極層に接続されている。このように、導体層５は、電気的接続を担う部材であり、Ｗ、Ｍｏ、Ａｕ、Ａｌ、Ｃｕ等の金属材料、およびそれらの合金が使用され、例えばスパッタリング法やＣＶＤ法等の薄膜プロセスで絶縁層４上に所定の厚さで形成され、フォトリソグラフィ技術等により所定の形状に加工される。
【００３４】
また、導体層５の厚みは、共振特性にも影響を与えるため、音響波共振子が必要な共振特性を発揮するために、材料の固有音響インピーダンスや密度、材料を伝搬する音響波の速度、音響波の波長等を考慮して、精密に設計する必要がある。最適な厚みは、使用周波数、共振子の設計、圧電体層７の材料、電極材料等によって異なるが、共振周波数が２ＧＨｚの場合、０．１〜２μｍである。なお、導体層５の厚みは、上部電極層８の厚みよりも厚く形成されている。導体層５の厚みを相対的に厚く形成することによって、圧電体層７の側方に位置する導体層５の堆積量を多くすることができ、電極の引き回しの自由度を向上させることができる。
【００３５】
このように、導体層５を、共振体２における上部電極層８の厚みを変形することなく、露出部４ａを介して上部電極層８に電気的に接続することで、電極の引き回しの自由度を上げることができる。その結果、上部電極層を圧電体層７の側方から引き回さなくてもよく、圧電体層７の側方において、上部電極層が断線することがないという顕著な効果を奏し、音響波共振子の生産性の向上に寄与することができる。
【００３６】
また、共振体２上に上部電極層８よりも低い固有音響インピーダンスの絶縁層４を形成し、該絶縁層４上に絶縁層４よりも高い固有音響インピーダンスの導体層５を設けることで、共振体２が発する音響波を絶縁層４側から共振体２側に反射し、共振体２の音響波の漏洩を抑制することができる。
【００３７】
図１では、導体層５は、上部電極層８上に、形成されているが、もちろんこの形体に限定されるものではなく、共振体全体を覆っていても良い。また、図１のように、同一基体上に設けられた他の音響波共振子の下部電極層に接続される場合のみでなく、音響波共振子回路の設計に従って、他の音響波共振子の上部電極層と接続されている場合や、パッド電極などに接続されている場合もある。
【００３８】
また、露出部４ａの位置・形状も、図１に示したものに限定されるものではなく、音響波共振子の上部電極層と電気的に接続されるならば、例えば、上部電極層８の端部など、他の位置でもかまわない。特に、露出部４ａの形状を不定形にしたり、露出部４ａを複数箇所に設ける等すると、共振部２ａで横方向に伝播する音響波が音響インピーダンスの異なる界面で拡散し、その共振の発生を抑えることができるため、音響波共振子の不要振動（スプリアス）が抑制できる。
【００３９】
本発明の音響波共振子の実施の形態の他の一例は、図２に示すように、導体層５と絶縁層４、共振体２等を被覆するように保護膜９を形成する。
【００４０】
保護膜９は、共振体２を音響的に外部からアイソレートすると共に共振体２を化学的、機械的に保護する機能を有する。このため、保護膜９の材料としては、透湿性が少なく、化学的、機械的に強固であると共に固有音響インピーダンスが高い材料である、Ｓｉ３Ｎ４、Ａｌ２Ｏ３などの無機材料が好適に用いられる。その結果、パッケージレスを図ることができ、音響波共振子全体の小型化に寄与することができる。また、圧電体層７と同じ材料であるＡｌＮやＺｎＯなどを使用することもできる。この場合、圧電体層７と同じ成膜装置が使用できるため、コスト低減が可能となる。
【００４１】
保護膜９の厚みは、材料の固有音響インピーダンスや密度、材料を伝搬する音響波の速度、音響波の波長等を考慮して、精密に設計する必要がある。最適な厚みは、使用周波数、共振子の設計、圧電体層７の材料、電極材料等によって異なるが、共振周波数が２ＧＨｚの場合、０．１〜２μｍである。
【００４２】
また、保護膜９を薄膜プロセスで形成する場合は、ポリイミドやＢＣＢなどの樹脂材料を使用し、その厚みは０．５〜５μmが望ましい。モールドなどで形成する場合は、エポキシ樹脂などが使用でき、その厚み５０μmから２mmとなる。
【００４３】
更に、保護膜９上に、樹脂材料から成る第２の保護膜１０が形成されることが望ましい。第２の保護膜１０は、共振体２を音響的にアイソレートし、外部との接触を防ぐことができる。
【００４４】
更にまた、保護膜９および第２の保護膜１０は、基板上に形成された複数の音響波共振子を共通に被覆することで、図６に示されるような従来必要とされていた気密性を維持するパッケージＰを無くすことができ、パッケージレスのフィルタを作成することができる。その結果、音響波共振子およびフィルタ全体の厚みを薄くすることができ、装置全体の小型化に寄与することができる。
【００４５】
なお、本発明の音響波共振子における基体１、共振体２、反射器３、その他材料や構造、プロセス等については以上の例に特に限定されるものではなく、さらに、共振体２と外部接続のための端子部（図示せず）とを接続する配線および電極の取り回しや、複数の共振体２を接続してフィルタとする構成や構造についても特に限定されるものではない。これは以下に説明する音響波共振子についても同様である。
【００４６】
図３に示すように、本発明の音響波共振子は、所望の共振周波数での、前記導体層５中の音響波の波長をλ１、前記保護膜９中の音響波の波長をλ２としたとき、前記導体層５の膜厚ｄ１および前記保護膜９の膜厚ｄ２が、
０．２＋０．５×ｎ≦ｄ１／λ１＋ｄ２／λ２≦０．３＋０．５×ｎ  （ｎは自然数）
の条件を満たすことが望ましい。この条件の場合、Ｑ値は４０００以上となる。
【００４７】
図３に、下部電極層６および上部電極層８としてＷを、圧電体層７としてＺｎＯを使用し、絶縁層４として厚みλＢＣＢ／４のＢＣＢを、第２の保護膜１０として３μｍのＢＣＢを使用した場合の、導体層５、保護膜９の厚みｄ１、ｄ２と音響波共振子のＱ値の関係を示すシミュレーション結果を示す。共振体２の各層の厚みは共振周波数が２ＧＨｚとなるように設定した。保護膜９の材料としてはＳｉ３Ｎ４を使用し、図３（ａ）は導体層５の材料としてＡｕを、（ｂ）はＷを用いた場合の結果である。図３から本発明の条件が満たされる場合（図３には点線で示されている）に、共振子のＱ値は最大になることが分かる。これは、絶縁層４、導体層５、保護膜９の各界面での音響波の反射の位相が最適となり、共振体２への音響波の閉じ込めが最大になるからである。
【００４８】
また、本発明の音響波共振子は、所望の共振周波数での、前記導体層５中の音響波の波長をλ１としたとき、前記導体層５の膜厚ｄ１が、λ１／２の略自然数倍であることが望ましい。なお、導体層５の膜厚ｄ１は、以下の数式を満たす範囲内であれば実用十分なＱ値を持つ。
【００４９】
０．３５×（１＋２×（ｎ−１））λ１≦  ｄ１  ≦０．６５×（１＋２×（ｎ−１））λ１（ｎは自然数）
図３（ａ）、（ｂ）によると、この場合はｄ２／λ２が０．２５の略奇数倍となる。この条件では、図３のｄ１／λ１＝０の時のＱ値を見ても分かるように、導体層５が無い場合（上部電極層８の上部の構成が絶縁層４／保護膜５／第２の保護膜１０の場合）でも、絶縁層４、保護膜９の各界面での音響波の反射の位相が最適となり、共振体２への音響波の閉じ込めが最大になる。このため、平面視で導体層５に覆われていない共振体２でも、絶縁層４、保護膜９によって外部からの音響的なアイソレーションが最適化され、損失が小さく、従ってＱ値の高い音響波共振子が実現できる。
【００５０】
また、前記したシミュレーションでは、材料中での音響波の伝播損失や電極の電気抵抗による損失などは含まれていないため、実際の音響波共振子では、Ｑ値は数１００から２０００程度となる。
【００５１】
図７に示すように、本発明の音響波共振子は、共振体２の側面に位置する絶縁層４及び導体層５の断面は、下部よりも上部が幅狭なテーパー状に形成することが望ましい。
【００５２】
ここで、共振体２の側面に位置する絶縁層４の基体１に対する傾斜角αは、共振体２の側面に位置する導体層５の傾斜角βよりも大きく設定することができる。また、絶縁層４として、例えばＢＣＢ等の樹脂材料で形成した場合、当該樹脂材料に対する光量を調整可能なハーフトーンマスクを使用することで、絶縁層４に傾斜角αを形成することができる。なお、絶縁層４の傾斜角αは、１０°〜８０°に形成することができる。なお、傾斜角αは、３０°〜６０°に形成することが望ましい。傾斜角αを３０°〜６０°にすることによって、共振体２の側面に位置する絶縁層４と導体層５との密着性を向上し、絶縁層４と導体層５の剥離を抑制することができる。
【００５３】
導体層５は、傾斜角αを有する絶縁層４上に、例えばＣＶＤ等を使用することで、断線することなく連続して形成することができる。なお、導体層５の傾斜角βは、１０°〜８０°であって、傾斜角αよりも小さく形成される。
【００５４】
このように、導体層５の端部の断面をテーパー状に形成することで、導体層５の断線を効果的に防止することができる。
【００５５】
上記構成では、反射器を備えた音響波共振子について説明したが、基体の裏面側に貫通孔を開け、共振体を基体から空間的に離したり、基体と共振体との間に犠牲層を設け、その犠牲層をエッチングして除去することで共振体を基体から空間的に離したりし、反射器を設けない構成であっても構わない。
【００５６】
なお、本発明は、上述の実施形態に限定されるものではなく、本発明の範囲内において、種々の変更・改良が可能であることはいうまでもない。
【００５７】
＜本発明のフィルタ＞
図４（ａ）に、本発明のフィルタの実施の形態の一例を示す平面図を、図４（ｂ）に、その回路図をそれぞれ示す。図４において、図１と同様の箇所には同じ符号を付し、重複する説明を省略する。また、フィルタの構造が分かり易いように、各部の大きさ、配置箇所を適宜修正した。図４（ａ）に示すフィルタは、図４（ｂ）に示す通り、２段ラダー型フィルタであり、２つの直列共振子（第１の直列共振子１１、第２の直列共振子１３）と２つの並列共振子（第１の並列共振子１５、第２の並列共振子１８）とが接続された構成となっている。
【００５８】
かかる第１の直列共振子１１と第２の直列共振子１３は、２つの音響波共振子が導体層５を共有して電気的に接続されている。第１の直列共振子１１の下部電極層６に形成された入力端子１２は、第２の直列共振子１３の下部電極層６に形成された出力端子１４と電気的に接続されている。
【００５９】
第１の並列共振子１５は、第１の並列共振子１５の導体層５が第１の直列共振子１１の導体層５と共有して電気的に接続されていて、第１の並列共振子１５の下部電極層６をグランド（ＧＮＤ）端子１６に接続することで入出力ライン１７に対して並列に接続されている。
【００６０】
第２の並列共振子１８は、第２の並列共振子１８の導体層５と第２の直列共振子１３の下部電極層６とが電気的に接続されており、第２の並列共振子１８の下部電極層６をグランド（ＧＮＤ）端子１６に接続することで入出力ライン１７に対して並列に接続されている。なお、第１の並列共振子１５と第２の並列共振子１８は、下部電極層６を共有することで電気的に接続されている。このような構成とすることで、共振体２を構成する各層６、７、８のパターニング形状を変えるだけで複数の音響波共振子を接続し、フィルタを構成することができる。
【００６１】
本発明の音響波共振子によれば、従来品よりも低損失、信頼性の高いフィルタを低コストで提供することができるため、従来よりも低損失、低コストで、信頼性の高いフィルタを提供することができる。本発明の音響波共振子を用いて本発明のフィルタを構成したものとしては、共振子を電気的に結合させたラダー型フィルタやラティス型フィルタの他に、共振子を音響的に結合させたスタックト・クリスタル（Ｓｔａｃｋｅｄ  Ｃｒｙｓｔａｌ）型フィルタやカップルド・レゾネータ（Ｃｏｕｐｌｅｄ  Ｒｅｓｏｎａｔｏｒ）フィルタ等が挙げられる。
【００６２】
＜本発明の通信装置＞
本発明の通信装置の実施の形態の一例について、図５に示すブロック回路図を用いて説明する。通信装置は、フィルタと電気信号を送信する送信回路１９と、電気信号を受信する受信回路２０とを有し、送信回路１９と受信回路２０とアンテナ２５との間にフィルタ２１を配置して電気信号をフィルタリング処理するものであって、図５は、携帯電話の高周波回路のブロック回路図を示すものである。送信回路１９から送信される高周波信号は、フィルタ２１ａによりその不要信号がフィルタリング処理され、パワーアンプ２２で増幅された後、アイソレータ２３と分波器２４を通り、アンテナ２５から放射される。また、アンテナ２５で受信された高周波信号は、分波器２４を通りローノイズアンプ２６で増幅されフィルタ２１ｂでその不要信号をフィルタリング処理された後、アンプ２７で再増幅されミキサ２８で低周波信号に変換されて、その後受信回路２０に送られる。
【００６３】
本発明のフィルタは、分波器２４を構成する部材としても使用することができる。
【００６４】
このように、信頼性が高く、高性能で小型な本発明のフィルタをフィルタリング処理として用いることにより、回路中での損失が小さくなり、不要な波の除去性能が高くなり、より感度が良く、信頼性が高い通信装置を低価格で提供することができる。
【実施例】
【００６５】
本発明の音響波共振子の具体例について以下に説明する。ここでは、２ＧＨｚで共振する音響波共振子を作製した。
【００６６】
まず、高抵抗のＳｉ基体１を準備し、酸を用いて基体１の洗浄を行った。次に、Ｓｉ基体１上に、ＷとＳｉＯ２を交互に６層積層した反射器３を形成した。
【００６７】
そして、反射器３上に、０．１５μｍのＷからなる下部電極層６を、スパッタリング法により形成した後、フォトリソグラフィおよびフッ硝酸によるウエットエッチングを行なってパターンを形成した。
【００６８】
その後、下部電極層６上に、スパッタリング法により０．６７μｍのＺｎＯ膜から成る圧電体層７を成膜した。ＺｎＯ膜のパターニングは、フォトリソグラフィおよび希塩酸によるウエットエッチングによって行なった。
【００６９】
そして、圧電体層７上に、厚み０．１５μｍのＷをスパッタリング法により形成し、同様にフォトリソグラフィ、ＥＣＲプラズマによるドライエッチングによりパターニングし、上部電極層８を形成した。
【００７０】
このようにして作製した反射器３および共振体２の上に、０．２０μｍのＢＣＢ層からなる絶縁層４をスピンコートにて形成し、フォトリソグラフィによって露出部４ａおよび測定用の電極上の開口部を形成し、２５０℃で熱硬化させた。その後、Ａｕからなる導体層５をスパッタリング法により形成した後、フォトリソグラフィおよびヨウ素／ヨウ化カリウムによるウエットエッチングによりパターン形成を行なった。Ｓｉ３Ｎ４からなる保護膜９はＣＶＤによって成膜した後、フォトリソグラフィおよびＥＣＲプラズマによるドライエッチングによりパターン形成を行なった。最後に、３μｍのＢＣＢ層からなる第２の保護膜１０をスピンコートにて形成し、フォトリソグラフィによって測定用の電極上の開口部を形成し、２５０℃で熱硬化させた。
【００７１】
作製した音響波共振子のｄ１／λ１、ｄ２／λ２、共振周波数ｆおよびＱ値（Ｑ）に関する測定結果を表１に示す。本発明の条件で作製した音響波共振子は、良好なＱ値を持つことが分かる。
【００７２】
【表１】
2008011483.tif 000003
【図面の簡単な説明】
【００７３】
【図１】本発明の音響波共振子の一例を示す、（ａ）は平面図、（ｂ）は（ａ）のＡ−Ａ’部分の断面図である。
【図２】本発明の音響波共振子の別の一例を示す、（ａ）は断面図、（ｂ）は共振部の拡大断面図である。
【図３】導体層、保護膜の厚みと音響波共振子のＱ値の関係を示す、（ａ）は接続電極がＡｕの場合、（ｂ）はＷの場合のシミュレーション結果を示す線図である。
【図４】本発明のフィルタの実施の形態の一例を示す、（ａ）は平面図、（ｂ）は等価回路図である。
【図５】本発明の通信装置の実施の形態の一例を示すブロック回路図である。
【図６】従来の音響波共振子、フィルタの一例を示す断面図である。
【図７】本発明の音響波共振子の別の一例を示す、共振部の拡大断面図である。
【符号の説明】
【００７４】
１    基体
２    共振体
３    反射器
３ａ  低固有音響インピーダンス層
３ｂ  高固有音響インピーダンス層
４    絶縁層
４ａ  露出部
５    導体層
６    下部電極層
７    圧電体層
８    上部電極層
９    保護膜
１０    第２の保護膜
１１    第１の直列共振子
１２    入力端子
１３    第２の直列共振子
１４    出力端子
１５    第１の並列共振子
１６    グランド端子
１７    入出力ライン
１８    第２の並列共振子
１９    送信回路
２０    受信回路
２１    フィルタ
２１ａ  フィルタ
２１ｂ  フィルタ
２２    パワーアンプ
２３    アイソレータ
２４    分波器
２５    アンテナ
２６    ローライズアンプ
２７    アンプ
２８    ミキサ
Ａ    圧電体層の側面
ｄ１    導体層の膜厚
ｄ２    保護膜の膜厚
Ｐ    パッケージ
【図１】
2008011483.tif 000004
【図２】
2008011483.tif 000005
【図３】
2008011483.tif 000006
【図４】
2008011483.tif 000007
【図５】
2008011483.tif 000008
【図６】
2008011483.tif 000009
【図７】
2008011483.tif 000010